(57)【特許請求の範囲】
【請求項１】
収納カセットを収容するカセット収容装置であって、
前記収納カセットをそれぞれ収容する１または複数のカセット収容部と、
前記カセット収容部に収容された前記収納カセットの取り出しを選択的に規制するカセット取出規制部と、
前記収納カセットに関する情報であるカセット情報を取得するカセット情報取得部と、
取得された前記カセット情報に基づき、前記カセット収容部に収容された前記収納カセットの取り出しが可能な管理権限である取出権限を決定する取出権限決定部と、
前記カセット取出規制部の制御を行う制御部であって、決定された前記取出権限に基づき、前記カセット収容部に収容された前記収納カセットの取り出しを規制するか否かを決定する制御部と、
を備えたことを特徴とするカセット収容装置。
【請求項２】
操作者の管理権限に関する情報である操作者情報を取得する操作者情報取得部を更に備え、
前記制御部は、前記取出権限と、前記操作者情報に基づく操作者の管理権限とに基づいて取り出し可能な前記収納カセットを決定し、取り出し可能な前記収納カセットが収容される１または複数の前記カセット収容部の取り出し規制を解除するよう制御を行うことを特徴とする請求項１記載のカセット収容装置。
【請求項３】
前記カセット情報には、前記収納カセットに収納された収納物の内容である内容情報が含まれており、この内容情報の状態には前記収納カセットに収納された収納物の内容の少なくとも一部が不明確な未確定状態と収納物の内容が明確な確定状態とがあり、
前記取出権限決定部は、前記内容情報の状態に基づいて取出権限を決定することを特徴とする請求項１または２記載のカセット収容装置。
【請求項４】
前記収納カセットの取出権限は、少なくとも第１の管理権限と第２の管理権限に設定可能であり、
前記制御部が前記収納カセットの取出権限を前記第１の管理権限から前記第２の管理権限に変更することにより引渡処理が行われることを特徴とする請求項３記載のカセット収容装置。
【請求項５】
前記引渡処理が行われる際に、前記取出権限決定部は、前記内容情報が確定状態であり前記取出権限が前記第１の管理権限である前記収納カセットの取出権限を、前記第２の管理権限に決定することを特徴とする請求項４記載のカセット収容装置。
【請求項６】
前記制御部は、前記引渡処理が行われた１または複数の前記収納カセットの前記内容情報の合計を、前記第２の管理権限に所属する制御装置に送信することを特徴とする請求項４または５記載のカセット収容装置。
【請求項７】
前記収納カセットの取出権限は、少なくとも第１の管理権限と第２の管理権限に設定可能であり、
前記取出権限決定部は、前記内容情報が確定状態であるとともにこの内容情報が所定範囲内であり、前記所属が前記第１の管理権限である前記収納カセットの取出権限を、前記第１の管理権限に決定することを特徴とする請求項３記載のカセット収容装置。
【請求項８】
前記取出権限を有する操作者が前記カセット収容装置から前記収納カセットを取り出す際に、当該操作者が取り出すことができる前記収納カセットが収容された前記カセット収容部に対応する表示部が表示を行うことを特徴とする請求項１乃至７のいずれか一項に記載のカセット収容装置。
【請求項９】
前記カセット収容部は、前記カセット情報に基づいて決定される取出権限により、前記収納カセットの収容の可否が決定されることを特徴とする請求項１乃至８のいずれか一項に記載のカセット収容装置。
【請求項１０】
前記カセット収容装置は、当該カセット収容装置における少なくとも前記カセット収容部の一部が、権限を有する操作者により移動可能となっていることを特徴とする請求項１乃至９のいずれか一項に記載のカセット収容装置。
【発明の詳細な説明】
【技術分野】
【０００１】
本発明は、貨幣を収納する収納カセットを用いて貨幣を受渡しするシステムにおける、収納カセットを収容するカセット収容装置に関する。
【背景技術】
【０００２】
小売店舗等においては、レジに紙幣釣銭機や硬貨釣銭機が設置されている。営業時間が終了すると、これらの釣銭機から紙幣や硬貨等の貨幣が回収されて、出納室等に設置されている入出金装置に貨幣が入金されて管理される。
【０００３】
従来から、出納室等に設置される入出金装置として、様々な種類のものが知られている。例えば、特許文献１に開示される店舗用入出金装置においては、装置内に入金された貨幣を、店舗の釣銭等として出金される店舗準備金と、金融機関への送金対象であり出金されることのない店舗売上金とに区別して管理し、店舗売上金は警備会社等の回収業者によって回収されるようになっている。より具体的に説明すると、入金された貨幣は店舗準備金としてリサイクル収納部に収納されるようになっている。そして、店舗準備金を収納しているリサイクル収納部から、店舗売上金を収納しているカセット収納部への引渡処理によって、店舗準備金は店舗売上金へと管理区分が変更されるようになっている。また、特許文献１に開示される店舗用入出金装置は、警備会社等の回収業者のセンターに通信回線を通じて接続され、店舗売上金に関するデータをこのセンターに送信するようになっている。
【先行技術文献】
【特許文献】
【０００４】
【特許文献１】特開２００３−１４１６０９号公報
【発明の概要】
【発明が解決しようとする課題】
【０００５】
特許文献１等に示されるような従来の入出金装置においては、前述のように、店舗で釣銭等に使用する貨幣はリサイクル収納部に収納され、回収業者により回収される貨幣はカセット収納部に引き渡されてこのカセット収納部に収納されるようになっている。カセット収納部に引き渡された貨幣の枚数や金額等のデータは、通信回線を通じて他の装置に送信することができるようになっている。
【０００６】
ここで、店舗等に設置される紙幣釣銭機や硬貨釣銭機として、貨幣の装填および回収を、カセットを用いて行うことができるものがある。このような釣銭機から貨幣を回収する際には、カセットを釣銭機の筐体から取り外してこのカセットから貨幣を取り出し、操作者が手動で貨幣を入出金装置に入金する。また、このような釣銭機に貨幣を装填する際には、カセットを釣銭機の筐体から取り外して入出金装置から出金した貨幣を手動でこのカセットに入れ、カセット自体を釣銭機に装填する。ここで、操作者が貨幣を釣銭機のカセットから取り出してこの取り出された貨幣を手で扱う場合には、受け渡し金額の不一致等のトラブルが発生したときに、責任が不明確になるおそれがある。
【０００７】
本発明は、このような点を考慮してなされたものであり、店舗等に設置された釣銭機と、出納室との間の貨幣の受け渡しを、操作者の手を触れずにカセットを用いて行うことができるカセット収容装置を提供することを目的とする。
【課題を解決するための手段】
【０００８】
本発明は、収納カセットを収容するカセット収容装置であって、前記収納カセットをそれぞれ収容する１または複数のカセット収容部と、前記カセット収容部に収容された前記収納カセットの取り出しを選択的に規制するカセット取出規制部と、前記収納カセットに関する情報であるカセット情報を取得するカセット情報取得部と、取得された前記カセット情報に基づき、前記カセット収容部に収容された前記収納カセットの取り出しが可能な管理権限である取出権限を決定する取出権限決定部と、前記カセット取出規制部の制御を行う制御部であって、決定された前記取出権限に基づき、前記カセット収容部に収容された前記収納カセットの取り出しを規制するか否かを決定する制御部と、を備えたことを特徴とするカセット収容装置である。
【０００９】
このようなカセット収容装置によれば、収納カセットをそれぞれ収容する１または複数のカセット収容部が設けられている。また、収納カセットに関する情報であるカセット情報を取得し、取得されたカセット情報に基づき、カセット収容部に収容された収納カセットの取り出しが可能な管理権限である取出権限を決定し、決定された取出権限に基づき、カセット収容部に収容された収納カセットの取り出しを規制するか否かを決定するようになっている。このように、収納カセットを用いるとともにこの収納カセットをカセット収容部に収容させることにより、店舗等に設置された釣銭機と、出納室との間の貨幣の受け渡しを、操作者の手を触れずにカセットを用いて行うことができる。また、カセット収容部に収容された収納カセットの取り出しを、この収納カセットに関する情報であるカセット情報に基づいて選択的に規制することができる。
【００１０】
本発明のカセット収容装置においては、操作者の管理権限に関する情報である操作者情報を取得する操作者情報取得部を更に備え、前記制御部は、前記取出権限と、前記操作者情報に基づく操作者の管理権限とに基づいて取り出し可能な前記収納カセットを決定し、取り出し可能な前記収納カセットが収容される１または複数の前記カセット収容部の取り出し規制を解除するよう制御を行うようになっていてもよい。
【００１１】
本発明のカセット収容装置においては、前記カセット情報には、前記収納カセットに収納された収納物の内容である内容情報が含まれており、この内容情報の状態には前記収納カセットに収納された収納物の内容の少なくとも一部が不明確な未確定状態と収納物の内容が明確な確定状態とがあり、前記取出権限決定部は、前記内容情報の状態に基づいて取出権限を決定するようになっていてもよい。
【００１２】
この場合、前記収納カセットの取出権限は、少なくとも第１の管理権限と第２の管理権限に設定可能であり、前記制御部が前記収納カセットの取出権限を前記第１の管理権限から前記第２の管理権限に変更することにより引渡処理が行われるようになっていてもよい。
【００１３】
このときに、前記引渡処理が行われる際に、前記取出権限決定部は、前記内容情報が確定状態であり前記取出権限が前記第１の管理権限である前記収納カセットの取出権限を、前記第２の管理権限に決定するようになっていてもよい。
【００１４】
また、前記制御部は、前記引渡処理が行われた１または複数の前記収納カセットの前記内容情報の合計を、前記第２の管理権限に所属する制御装置に送信するようになっていてもよい。
【００１５】
また、前記収納カセットの取出権限は、少なくとも第１の管理権限と第２の管理権限に設定可能であり、前記取出権限決定部は、前記内容情報が確定状態であるとともにこの内容情報が所定範囲内であり、前記所属が前記第１の管理権限である前記収納カセットの取出権限を、前記第１の管理権限に決定するようになっていてもよい。
【００１６】
本発明のカセット収容装置においては、前記取出権限を有する操作者が前記カセット収容装置から前記収納カセットを取り出す際に、当該操作者が取り出すことができる前記収納カセットが収容された前記カセット収容部に対応する表示部が表示を行うようになっていてもよい。
【００１７】
本発明のカセット収容装置においては、前記カセット収容部は、前記カセット情報に基づいて決定される取出権限により、前記収納カセットの収容の可否が決定されるようになっていてもよい。
【００１８】
本発明のカセット収容装置においては、前記カセット収容装置は、当該カセット収容装置における少なくとも前記カセット収容部の一部が、権限を有する操作者により移動可能となっていてもよい。
【発明の効果】
【００１９】
本発明のカセット収容装置によれば、店舗等に設置された釣銭機と、出納室との間の貨幣の受け渡しを、操作者の手を触れずにカセットを用いて行うことができる。
【図面の簡単な説明】
【００２０】
【図１】本発明の一の実施の形態によるカセット収容装置およびこのカセット収容装置を備えた貨幣処理システムの構成を示す概略構成図である。
【図２】図１に示すカセット収容装置の内部構成を示す側面図である。
【図３】図１に示すカセット収容装置の制御ブロック図である。
【図４】図１に示すカセット収容装置の配置状態を示す図である。
【図５】図１に示すカセット収容装置の他の配置状態を示す図である。
【図６】カセット収容装置の他の構成を示す概略構成図である。
【図７】収納カセットのカセット情報の例を示す説明図である。
【発明を実施するための形態】
【００２１】
以下、図面を参照して本発明の実施の形態について説明する。図１乃至図３は、本実施の形態に係るカセット収容装置およびこのカセット収容装置を備えた貨幣処理システムを示す図である。
【００２２】
図１に示すように、貨幣処理システム１は、店舗１０に設けられたキャッシュレジスタ１１、硬貨釣銭機１２および紙幣釣銭機１４、ならびに出納室２０に設けられたカセット収容装置３０や棒金収納庫５０等から構成されている。また、出納室２０には、カセット収容装置３０や棒金収納庫５０等に通信接続された端末６０が設けられている。この出納室２０には、警備会社等の回収業者のセンター７０から配送車７４等により貨幣が配送されたり、出納室２０から貨幣が回収されて配送車７４等によりセンター７０に送られたりするようになっている。
【００２３】
硬貨釣銭機１２や紙幣釣銭機１４は、それぞれ、硬貨や紙幣をその内部に収納するようになっている。そして、店舗１０において顧客が商品を購入する際に、釣銭として顧客に硬貨や紙幣を支払う場合には、これらの硬貨釣銭機１２や紙幣釣銭機１４に収納された硬貨や紙幣を外部に投出し、投出された硬貨や紙幣を顧客に渡すようになっている。このような硬貨釣銭機１２や紙幣釣銭機１４として、様々なタイプのものを用いることができる。一例としては、商品の情報をキャッシュレジスタ１１に入力し、顧客から預かった硬貨や紙幣を店員が硬貨釣銭機１２や紙幣釣銭機１４に投入すると、自動的に釣銭としての硬貨や紙幣が硬貨釣銭機１２や紙幣釣銭機１４から外部に投出されるものが知られている。また、硬貨釣銭機１２や紙幣釣銭機１４には、それぞれ後述する収納カセット４８を装填することができるようになっている。また、これらの硬貨釣銭機１２や紙幣釣銭機１４は、キャッシュレジスタ１１を介して、または直接的に、出納室２０に設けられた後述する端末６０に通信接続されている。
【００２４】
カセット収容装置３０は、複数の収納カセット４８を収容するようになっている。収納カセット４８には、バラ紙幣やバラ硬貨、棒金硬貨等の貨幣、および／または、商品券、小切手等の有価証券が収納されるようになっている。収納カセット４８は、硬貨釣銭機１２用および紙幣釣銭機１４用の両方があるのが一般的であるが、一体型であってもよい。なお、この収納カセット４８には、レシート等の、貨幣や有価証券以外のものが収納されるようになっていてもよい。また、収納カセット４８は、収納物の出し入れを行うための扉および扉のロック機構を有するとともに、扉が開けられたことを検知するためのセンサを有している。
【００２５】
図１乃至図３に示すように、カセット収容装置３０は、収納カセット４８をそれぞれ収容する複数のカセット収容部３２と、各カセット収容部３２に収容された収納カセット４８の取り出しを選択的に規制するカセット取出規制部３４と、を備えている。図２に示すように、各カセット収容部３２は、収納カセット４８が載置される底部３２ａを有しており、カセット取出規制部３４はこの底部３２ａに設けられている。より詳細には、カセット取出規制部３４は底部３２ａから上方に選択的に突出することができるようになっており、カセット取出規制部３４が底部３２ａから上方に突出したときに、カセット収容部３２に収納カセット４８を外部から収容することができなくなるとともに、カセット収容部３２に収容された収納カセット４８を外部から取り出すことができなくなる。一方、カセット取出規制部３４が底部３２ａ内に退避したときに、カセット収容部３２に収納カセット４８を外部から収容することができるようになるとともに、カセット収容部３２に収容された収納カセット４８を外部から取り出すことができるようになる。カセット収容部３２は、図示しないカセット検知センサを備えており、このカセット検知センサにより収納カセット４８の有無を検知することができるようになっている。
【００２６】
図２に示すように、カセット収容部３２は、カセット収容装置３０における対向する両側面においてそれぞれ開口しており、これらの一対の開口にそれぞれカセット取出規制部３４が設けられている。
【００２７】
収納カセット４８には、データの読み書きが可能なＩＣタグ等の記憶部４９が設けられており、この記憶部４９には、収納カセット４８に関する情報であるカセット情報が記憶されるようになっている。より詳細には、記憶部４９には、硬貨釣銭機１２や紙幣釣銭機１４、またはセンター７０等に設けられた情報書き込み器（図示せず）により、カセット情報が書き込まれるようになっている。カセット情報には、収納カセット４８を識別するための収納カセット４８毎のＩＤ等の識別情報や、収納されている貨幣の金種別枚数等の在高情報等が含まれる。図７に、収納カセット４８のカセット情報の例を示す。図７に示すように、カセット情報としては、カセットＩＤ、取出権限、内容情報、状態等が含まれる。内容情報としては、紙幣の金種毎の枚数、硬貨の金種毎の枚数、商品券Ａの枚数、および未登録の有価証券等が挙げられる。また、状態としては、収納カセット４８に収納された収納物の内容の少なくとも一部が不明確な未確定状態と、収納物の内容が明確な確定状態とがある。このような状態の詳細については後述する。
【００２８】
また、各カセット収容部３２の底部３２ａにはカセット情報取得部３６が設けられており、このカセット情報取得部３６は、収納カセット４８がカセット収容部３２に収容されたときにこの収納カセット４８に設けられた記憶部４９に記憶されたカセット情報を読み取るようになっている。
【００２９】
また、図３に示すように、カセット収容装置３０には、各カセット取出規制部３４等の制御を行う制御部４０が設けられている。また、この制御部４０には、取出権限決定部４２が接続されている。取出権限決定部４２は、カセット情報取得部３６により取得されたカセット情報に基づいて、各カセット収容部３２に収容された収納カセット４８の取り出しが可能な管理権限である取出権限を決定するようになっている。制御部４０は、この取出権限に基づいて、各カセット収容部３２に収容された収納カセット４８の取り出しを規制するか否かを決定するようになっている。
【００３０】
また、図１等に示すように、カセット収容装置３０の各カセット収容部３２には表示部３８がそれぞれ設けられている。表示部３８は、対応するカセット収容部３２に収容された収納カセット４８が取り出し可能か否かを表示するようになっている。より詳細には、表示部３８には例えば赤ランプおよび緑ランプが設けられており、赤ランプが点灯したときにはこの表示部３８に対応するカセット収容部３２から収納カセット４８を取り出すことができないことを示し、緑ランプが点灯したときにはこの表示部３８に対応するカセット収容部３２から収納カセット４８を取り出すことができることを示している。この表示部３８も制御部４０に接続されており、表示部３８における表示内容は制御部４０により制御されるようになっている。
【００３１】
なお、カセット収容装置３０として、図１では複数のカセット収容部３２が一体化されたものを説明したが、カセット収容装置はこのようなものに限定されることはない。他の種類のカセット収容装置としては、収納カセットを収容する各々のカセット収容部が他のカセット収容部に対して着脱自在に設けられており、複数のカセット収容部を適宜組み合わせることによりカセット収容装置が構成されるようになっていてもよい。この場合、各々のカセット収容部にカセット取出規制部および表示部が設けられており、これらのカセット収容部、カセット取出規制部および表示部によりユニットが構成され、カセット収容装置はこれらのユニットの集合体となる。
【００３２】
また、制御部４０には通信インターフェース４４が接続されており、この通信インターフェース４４を介して制御部４０は端末６０と信号の送受信を行うことができるようになっている。
【００３３】
棒金収納庫５０には棒金硬貨が収納されるようになっている。より具体的に説明すると、棒金収納庫５０は、その筐体から引き出し可能な複数の棒金ドロアとを有しており、各棒金ドロアに棒金硬貨を収納するとともに手で取り出しが可能であり、棒金硬貨の金種や有無を検知し、出し入れが管理できるようになっている。あるいは、棒金収納庫５０は、指示された棒金を自動的に投出するものであってもよい。
【００３４】
図１に示すように、店舗１０に設けられた硬貨釣銭機１２や紙幣釣銭機１４と、出納室２０に設けられたカセット収容装置３０との間では、収納カセット４８により貨幣等が運搬されるようになっている。すなわち、硬貨釣銭機１２や紙幣釣銭機１４から取り出された貨幣等が運搬中に人の手に触れることはない。また、カセット収容装置３０から取り出された貨幣等も運搬中に人の手に触れることはない。同様に、硬貨釣銭機１２や紙幣釣銭機１４に貨幣が収納される際も、貨幣等が人の手に触れないことが望ましいが、例えば硬貨釣銭機１２への硬貨の投入時には、収納カセット４８から硬貨を取り出す場合もある。
【００３５】
端末６０は、例えばモニタからなる表示部（図示せず）と、例えばキーボードからなる操作部（図示せず）と、カードリーダー６２とを有している。端末６０の表示部には、カセット収容装置３０に収容された各収納カセット４８に収納された貨幣の在高の情報や、棒金収納庫５０に収納された棒金の在高の情報等が表示されるようになっている。また、操作者は、操作部を操作することによって端末６０によりカセット収容装置３０や棒金収納庫５０に対して様々な指令を与えることができるようになっている。具体的には、端末６０の操作部により、操作者はカセット収容装置３０からの収納カセット４８の取り出しや棒金収納庫５０からの棒金硬貨の取り出しの操作を行うことができるようになっている。また、端末６０に設けられたカードリーダー６２により、操作者が携帯するＩＤカードのＩＤ情報の読み取りを行うようになっている。端末６０は、店舗１０に設けられた硬貨釣銭機１２や紙幣釣銭機１４に通信接続されるとともに、出納室２０に設けられたカセット収容装置３０や棒金収納庫５０に通信接続されている。また、端末６０は、センター７０に設けられた制御装置７２（後述）にも通信接続されている。
【００３６】
図１に示すように、警備会社等の回収業者のセンター７０には例えばホストコンピュータからなる制御装置７２が設けられている。また、センター７０から出納室２０には配送車７４により貨幣が配送されるようになっている。より具体的には、配送車７４には収納カセット４８が積載されており、この収納カセット４８が配送車７４からカセット収容装置３０に運ばれ、カセット収容装置３０のカセット収容部３２に直接的に収容されるようになっている。また、カセット収容装置３０から回収業者が貨幣を回収する際には、カセット収容部３２から収納カセット４８を取り出し、この収納カセット４８を配送車７４に積載することにより、収納カセット４８ごと貨幣を回収するようになっている。
【００３７】
次に、上述のようなカセット収容装置３０およびこのカセット収容装置３０を備えた貨幣処理システム１の動作について説明する。
【００３８】
最初に、収納カセット４８の管理権限について説明する。この収納カセット４８の取出権限は、少なくとも第１の管理権限と第２の管理権限に設定可能である。具体的には、第１の管理権限は、例えば店舗等の店員側の管理権限のことをいい、第２の管理権限は、例えば警備会社等の回収業者側の管理権限のことをいう。取出権限決定部４２は、店舗等の店員および警備会社等の回収業者の各々について、取出権限があるか否かを決定するようになっている。なお、店員の権限は、個人毎、あるいは、一般店員や管理者という職種毎に設定することができるようになっている。
【００３９】
次に、センター７０から出納室２０に貨幣を配送する処理について説明する。このような処理は回収業者により行われるようになっている。より詳細には、まず、センター７０において、収納カセット４８が取り付けられた貨幣処理機（図示せず）は、配送先の店舗から注文された金種と枚数の貨幣を収納カセット４８に搬送して収納する。このとき、記憶部４９には、収納された貨幣の金種別の枚数が書き込まれる。そして、前述のように、配送車７４により、貨幣等が収納された収納カセット４８がセンター７０から出納室２０へ運搬される。配送車７４が出納室２０に到達すると、この配送車７４から収納カセット４８を取り出す。そして、回収業者は、携帯するＩＤカードのＩＤ情報を端末６０に読み取らせ、収納カセット４８の収容命令を入力する。このことにより、制御部４０は、カセット収容装置３０の各カセット収容部３２のうち、収納カセット４８を収容可能なカセット収容部３２の取り出し規制を解除し、収納カセット４８が収容されたことを検知すると、収納カセット４８が収容されたカセット収容部３２の取り出しを規制する。このようにして、回収業者は、配送車７４から取り出された収納カセット４８をカセット収容装置３０の各カセット収容部３２に収容する。このとき、カセット情報取得部３６は、記憶部４９からカセット情報を読み出す。この処理によって、収納カセット４８に収納された貨幣は、回収業者側の管理権限下から、店員側の管理権限下に移り、店員側が収納カセット４８の取出権限を持つようになる。
【００４０】
次に、出納室２０から店舗１０に釣銭用の貨幣を運搬する処理について説明する。このような処理は店員により行われるようになっている。より詳細には、店員は、携帯するＩＤカードのＩＤ情報を端末６０に読み取らせ、収納カセット４８の取出命令を入力する。このことにより、制御部４０は、カセット収容装置３０の各カセット収容部３２のうち、この店員が担当するキャッシュレジスタ１１で釣銭として用いる貨幣が収納された収納カセット４８が収容されているカセット収容部３２の取り出し規制を解除する。そして、店員は、取り出し規制が解除されたカセット収容部３２から収納カセット４８を取り出し、この取り出された収納カセット４８を出納室２０から店舗１０に運び、収納カセット４８を、担当するキャッシュレジスタ１１に接続された硬貨釣銭機１２や紙幣釣銭機１４に装填する。
【００４１】
次に、店舗１０から出納室２０に貨幣を回収する処理について説明する。このような処理は店員により行われるようになっている。より詳細には、まず、店舗側の店員が回収命令を入力すると、硬貨釣銭機１２や紙幣釣銭機１４は、回収される貨幣を収納カセット４８へ搬送して収納する。このとき、記憶部４９には、収納された貨幣の金種別枚数や他の情報が書き込まれる。そして、店員は、硬貨釣銭機１２や紙幣釣銭機１４から収納カセット４８を取り出し、この収納カセット４８を店舗１０から出納室２０に運ぶ。そして、店員は、携帯するＩＤカードのＩＤ情報を端末６０に読み取らせ、収納カセット４８の収容命令を入力する。このことにより、制御部４０は、カセット収容装置３０の各カセット収容部３２のうち、収納カセット４８を収容可能なカセット収容部３２の取り出し規制を解除し、収納カセット４８が収容されたことを検知すると、収納カセット４８が収容されたカセット収容部３２の取り出しを規制する。このようにして、店員は、硬貨釣銭機１２や紙幣釣銭機１４から取り出された収納カセット４８をカセット収容装置３０の各カセット収容部３２に収容する。カセット情報取得部３６は、記憶部４９からカセット情報を読み出す。制御部４０は、カセット情報に基づいて取出権限を決定する。決定方法については後述する。
【００４２】
次に、出納室２０からセンター７０に貨幣を回収する処理について説明する。このような処理は回収業者により行われるようになっている。より詳細には、回収業者は、携帯するＩＤカードのＩＤ情報を端末６０に読み取らせ、収納カセット４８の回収命令を入力する。このことにより、制御部４０は、カセット収容装置３０の各カセット収容部３２のうち、回収業者側に取出権限がある、回収されるべき貨幣が収納された収納カセット４８が収容されているカセット収容部３２の取り出し規制を解除する。そして、回収業者は、取り出し規制が解除されたカセット収容部３２から収納カセット４８を取り出し、この取り出された収納カセット４８を配送車７４に積載し、配送車７４により収納カセット４８をセンター７０まで運搬する。
【００４３】
本実施の形態のカセット収容装置３０においては、上述のような動作が行われる際に、カセット情報取得部３６により、収納カセット４８に関する情報であるカセット情報を取得し、取出権限決定部４２は、取得されたカセット情報に基づいて、各カセット収容部３２に収容された収納カセット４８の取り出しが可能な管理権限である取出権限を決定するようになっている。そして、制御部４０は、決定された取り出し権限に基づいて、各カセット収容部３２に収容された収納カセット４８の取り出しをカセット取出規制部３４により規制するか否かを決定するようになっている。
【００４４】
制御部４０がこのような制御を行うことにより、カセット収容装置３０に収容された複数の収納カセット４８のうち、必要な収納カセット４８のみを店員や回収業者等の操作者は取り出すことができるようになる。
【００４５】
なお、各カセット収容部３２は、カセット情報に基づいて決定される取出権限により、収納カセット４８の収容の可否がそれぞれ決定されるようになっていてもよい。
【００４６】
また、取出権限決定部４２は、取出権限が無制限となるよう決定を行う場合もある。この場合には、店員や回収業者を含めた、いかなる操作者も各カセット収容部３２から収納カセット４８を自由に取り出すことができるようになる。
【００４７】
また、上述の態様では、カセット情報は収納カセット４８に設けられた記憶部４９に記憶され、各カセット収容部３２に設けられたカセット情報取得部３６が、記憶部４９に記憶された情報を読み取るような例について説明したが、このような例に限定されることはない。例えば、記憶部４９はＩＣタグのような非接触での受信を行うものに限らず、コネクタ等を用いた接触式の交信を行ってもよい。また、収納カセット４８にＩＣタグ等の記憶部４９が設けられておらず、代わりに、収納カセット４８の識別情報をバーコードやカセット搭載のＲＦＩＤタグで読み取り、カセット情報取得部３６は、別途ネットワークで送信されたこの識別情報に対応する情報を取得するようになっていてもよい。更に他の態様としては、収納カセット４８のカセット情報を操作者が端末６０の操作部により打ち込み、端末６０からカセット収容装置３０の制御部４０にこの打ち込まれた情報が送信されるようになっていてもよい。
【００４８】
また、本実施の形態のカセット収容装置３０においては、制御部４０は、前述の取出権限と、端末６０のカードリーダー６２により読み取られた操作者情報に基づく操作者の管理権限とに基づいて取り出し可能な収納カセット４８を決定し、取り出し可能な収納カセット４８が収納されるカセット収容部３２の取り出し規制を解除するようになっている。ここで、端末６０のカードリーダー６２は、操作者の管理権限に関する情報である操作者情報を取得する操作者情報取得部として機能するようになっている。
【００４９】
次に、収納カセット４８の取出権限の決定方法について説明する。本実施の形態のカセット収容装置３０においては、カセット情報には、収納カセット４８に収納された収納物の内容である内容情報が含まれている。そして、取出権限決定部４２は、この内容情報に基づいて取出権限を決定する。具体的には、内容情報は、収納カセット４８に収納されている貨幣の金額または金種別の枚数である在高情報のことをいう。また、内容情報として、収納カセット４８に収納されている商品券や小切手の情報も含まれる。
【００５０】
この内容情報には、収納カセット４８に収納された収納物の内容の少なくとも一部が不明確な未確定状態と、収納物の内容が明確な確定状態とがある。ここで、回収業者によりセンター７０から出納室２０に貨幣が配送される際には、収納カセット４８に収納された収納物の内容は基本的に明確であり、内容情報は確定状態である。しかし、配送中に収納カセット４８の扉が開かれたことが検知されている場合に、収納カセット４８の内容情報は未確定となる。また、店員により店舗１０から出納室２０に貨幣を回収する際には、硬貨釣銭機１２や紙幣釣銭機１４から収納カセット４８に搬送された貨幣の金種毎の枚数が確定している場合には、収納カセット４８の内容情報は確定状態である。これに対して、出金時にリジェクトされた貨幣を収納していたり、機械で金種の識別ができず、硬貨釣銭機１２や紙幣釣銭機１４の外で管理していた貨幣を回収時に強制的に収納カセット４８に収納したり、回収業者側で対応できない商品券等の媒体を収納カセット４８に収納した場合には、収納カセット４８の内容情報は未確定状態となる。
【００５１】
また、本実施の形態のカセット収容装置３０においては、カセット情報には、前述のような内容情報が含まれるとともに、この内容情報を決定した装置の所属に関する情報である所属情報が含まれていてもよい。この場合、取出権限決定部４２は、内容情報および所属情報に基づいて取出権限を決定する。より詳細には、所属情報は、店員側または回収業者側のことをいう。このような所属情報は、硬貨釣銭機１２や紙幣釣銭機１４によって、またはセンター７０において収納カセット４８の内容情報の決定が行われたときに決定される。あるいは、所属情報は、収納カセット４８がカセット収容装置３０のカセット収容部３２に収容される際における、ＩＤカードのＩＤ情報が端末６０により読み取られることにより判別する操作者の所属（店員または回収業者）により決定される。
【００５２】
本実施の形態のカセット収容装置３０においては、前述のように、収納カセット４８の管理権限には少なくとも第１の管理権限（店舗等の店員側の管理権限）と第２の管理権限（警備会社等の回収業者側の管理権限）とがある。そして、店員により、店舗１０から出納室２０に収納カセット４８が運ばれてカセット収容装置３０のカセット収容部３２に収容された後、回収業者によりこの収納カセット４８がカセット収容部３２から取り出される際に、制御部４０は、この収納カセット４８の管理権限を店員側の管理権限から回収業者側の管理権限に変更する引渡処理を行う。このときに、取出権限決定部４２は、内容情報が確定状態であり所属が店員側の管理権限である収納カセット４８の取出権限を、回収業者側に決定する。このようにして、硬貨釣銭機１２や紙幣釣銭機１４から回収された貨幣を収納している収納カセット４８がカセット収容装置３０のカセット収容部３２に収容された後に、回収業者は、この収納カセット４８をカセット収容部３２から確実に取り出すことができるようになる。なお、前述のような引渡処理は、収納カセット４８をカセット収容装置３０のカセット収容部３２に収容したとき、または端末６０等から制御部４０に対して引渡指令がなされたときに行われる。一方、内容情報が未確定の収納カセット４８がカセット収容装置３０のカセット収容部３２に収容された場合には、取出権限決定部４２は取出権限を回収業者側に変更せず、回収業者がこの収納カセット４８をカセット収容部３２から取り出すことができないようになる。この場合には、店員によりこの収納カセット４８は硬貨釣銭機１２や紙幣釣銭機１４に戻され、これらの硬貨釣銭機１２や紙幣釣銭機１４により改めて入金処理の確定が行われることとなる。
【００５３】
また、上述のように、取出権限決定部４２が、内容情報が確定状態であり所属が店員側の管理権限である収納カセット４８の取出権限を、回収業者側に決定した際に、制御部４０は、引渡処理が行われた１または複数の収納カセット４８の内容情報の合計を、端末６０を介して、回収業者に所属する、センター７０に設置された制御装置７２に送信するようになっている。このような制御部４０からの送信のタイミングは、カセット収容装置３０のカセット収容部３２に収納カセット４８を挿入したとき、または制御部４０が引渡指令を処理したときとなっている。
【００５４】
また、回収業者により、センター７０から出納室２０に収納カセット４８が運ばれてカセット収容装置３０のカセット収容部３２に収容された後、制御部４０は、この収納カセット４８の管理権限を回収業者側の管理権限から店員側の管理権限に変更する引渡処理を行う。このときに、取出権限決定部４２は、内容情報が確定状態であり所属が回収業者側の管理権限である収納カセット４８の取出権限を、店員側に決定する。このようにして、センター７０で準備された収納カセット４８がカセット収容装置３０のカセット収容部３２に収容された後に、店員は、この収納カセット４８をカセット収容部３２から確実に取り出すことができるようになる。なお、前述のような引渡処理は、収納カセット４８をカセット収容装置３０のカセット収容部３２に収容したとき、または端末６０等から制御部４０に対して引渡指令がなされたときに行われる。
【００５５】
また、収納カセット４８の内容情報を確認して、回収業者への引渡しを行わず、再度使用する場合もある。すなわち、本実施の形態のカセット収容装置３０においては、取出権限決定部４２は、内容情報が確定状態であるとともにこの内容情報が所定の範囲内であり、所属が店員側である収納カセット４８を、店員側の管理権限に決定する。内容情報が所定の範囲内であるとは、例えば、収納カセット４８に収納された硬貨や紙幣の枚数が所定範囲内であったり、収納カセット４８に収納された硬貨や紙幣の金額が所定範囲内であったり、収納カセット４８に小切手や商品券等が収納されていなかったりする場合のことをいう。これらの条件は、収納カセット４８は回収業者により回収される必要がないと判断する任意の条件を、１つまたは複数組み合わせて任意に設定できる。内容情報が設定された条件を満たすとき、収納カセット４８がカセット収容装置３０のカセット収容部３２に収容されても、取出権限決定部４２は取出権限を回収業者側に変更せず、店員側のままとする。この場合には、店員によりこの収納カセット４８はリサイクル用の収納カセットとして硬貨釣銭機１２や紙幣釣銭機１４で再び使用されることとなる。
【００５６】
また、本実施の形態のカセット収容装置３０においては、取出権限を有する操作者がカセット収容装置３０の各カセット収容部３２から収納カセット４８を取り出す際に、この操作者が取り出すことができる収納カセット４８が収容されたカセット収容部３２に対応する表示部３８が表示を行うようになっている。具体的には、操作者が取り出すことができる収納カセット４８が収容されたカセット収容部３２に対応する表示部３８では緑ランプが点灯し、操作者が取り出すことができない収納カセット４８が収容されたカセット収容部３２に対応する表示部３８では赤ランプが点灯する。このことにより、操作者は、どのカセット収容部３２から収納カセット４８を取り出すことができるかを一目で判断することができるようになる。
【００５７】
なお、本実施の形態によるカセット収容装置３０は、上記の態様に限定されるものではなく、様々の変更を加えることができる。
【００５８】
例えば、図４に示すように、カセット収容装置３０は、その側面が出納室２０の壁２２に隣接するよう設けられていてもよい。この場合、カセット収容装置３０の各カセット収容部３２における対向する２つの開口のうち一方の開口が壁２２により塞がれるようになり、カセット収容装置３０の各カセット収容部３２に対して操作者は一方向のみからアクセスすることができるようになる。この場合、図４に示すように、各カセット収容部３２においてカセット取出規制部３４を当該カセット収容部３２の一対の開口の両方に設ける必要はなく、一方の開口のみにカセット取出規制部３４を設けるだけでよい。
【００５９】
また、図５に示すように、カセット収容装置３０は、店舗１０と出納室２０との境界に設けられるようになっていてもよい。この場合、カセット収容装置３０は、出納室２０の壁２２を貫通するよう設けられることとなる。そして、店員は、カセット収容装置３０の各カセット収容部３２に対して店舗１０側（図５における左側）からアクセスするようになり、また、回収業者は、カセット収容装置３０の各カセット収容部３２に対して出納室２０側（図５における右側）からアクセスするようになる。また、このようなカセット収容装置３０においては、各カセット収容部３２に設けられた一対のカセット取出規制部３４はそれぞれ他のカセット取出規制部３４から独立して制御部４０により制御されるようになる。すなわち、各カセット収容部３２に設けられた一対のカセット取出規制部３４のうち一方のカセット取出規制部３４（左側のカセット取出規制部３４）は、店員による収納カセット４８の取り出しを選択的に規制するようになり、カセット取出規制部３４のうち他方のカセット取出規制部３４（右側のカセット取出規制部３４）は、回収業者による収納カセット４８の取り出しを選択的に規制するようになる。なお、出納室２０には、店舗の出納担当者を配置し、レジ担当の店員の権限と出納担当の店員の権限とを区別して、収納カセット４８の取り出しを選択的に規制してもよい。
【００６０】
また、回収業者による収納カセット４８の回収は、カセット収容装置３０に収納カセット４８が収納された状態で行ってもよい。すなわち、カセット収容装置３０における少なくともカセット収容部３２の一部を、権限を有する操作者により移動可能としてもよい。例えば、図１に示すようにカセット収容装置３０が一体化されたものとなっている場合には、回収業者は、カセット収容装置３０に収容された収納カセット４８を回収するにあたり、このカセット収容装置３０ごと回収してセンター７０に運ぶようになっていてもよい。また、カセット収容装置３０における各々のカセット収容部３２が分割可能となっている場合には、例えば回収業者は、カセット収容装置３０に収容された収納カセット４８を回収するにあたり、この収納カセット４８を収容するカセット収容部３２ごと回収してセンター７０に運ぶようになっていてもよい。
【００６１】
より詳細に説明すると、図６に示すように、カセット収容装置３０として、店舗用のカセット収容ラック３０ｍおよび回収用のカセット収容ラック３０ｎから構成されるものを用いてもよい。ここで、店舗用のカセット収容ラック３０ｍおよび回収用のカセット収容ラック３０ｎは、それぞれ複数のカセット収容部３２ｍ、３２ｎを有している。各カセット収容部３２ｍ、３２ｎは、図２に示されるカセット収容部３２と同様の構成となっている。ここで、店舗用のカセット収容ラック３０ｍは出納室２０に固定されるのに対し、回収用のカセット収容ラック３０ｎは移動自在となっている。そして、これらのカセット収容ラック３０ｍ、３０ｎはそれぞれ制御部４０に接続されており、これらのカセット収容ラック３０ｍ、３０ｎの各カセット収容部３２ｍ、３２ｎに設けられたカセット取出規制部３４は、それぞれ制御部４０により制御されるようになっている。回収用のカセット収容ラック３０ｎは、鎖や錠を用いて固定しても良いが、出納室内で固定される固定状態と固定解除状態が変更可能な固定部を備えるのが望ましい。この場合、固定部の固定状態の変更は、固定部を電気式にして制御部４０からの指令に基づいて行ってもよく、固定部を機械式にして、鍵などにより手動で制御してもよい。
【００６２】
図６に示すようなカセット収容装置３０においては、回収業者は、センター７０から出納室２０に貨幣を配送する際に、収納カセット４８を回収用のカセット収容ラック３０ｎに収容して運搬する。そして、回収用のカセット収容ラック３０ｎが制御部４０に接続されると、図１等で示したカセット収容装置３０と同様に機能する。
【００６３】
また、回収業者は、出納室２０からセンター７０に貨幣を回収する際に、携帯するＩＤカードのＩＤ情報を端末６０に読み取らせて回収命令を入力すると、または鍵によって固定を解除すると、回収用のカセット収容ラック３０ｎの固定が解除される。このことにより、回収されるべき貨幣が収納された収納カセット４８が収容されている回収用のカセット収容ラック３０ｎは、出納室２０から移動させることができるようになる。このようにして、回収業者は、回収用のカセット収容ラック３０ｎごと回収し、このカセット収容ラック３０ｎをセンター７０まで運搬する。このとき、店舗に留めておくべき収納カセット４８が、回収用のカセット収容ラック３０ｎに収容されていると、端末６０の警告表示とともに、対応するカセット収容ラック３０ｎのカセット収容部３２ｎの表示部３８で赤ランプの点滅等の警告表示が行われる。
【００６４】
また、店舗用のカセット収容ラック３０ｍと回収用のカセット収容ラック３０ｎのように、複数のカセット収容ラックが設けられる場合、それぞれのカセット収容ラックに収容できる収納カセット４８を、この収納カセット４８の内容情報に基づいて決定してもよい。例えば、内容情報が未確定や、内容情報が確定しており所定範囲内の場合は、店舗用のカセット収容ラック３０ｍには収納カセット４８を収容可能で、回収用のカセット収容ラック３０ｎには収納カセット４８を収容不可とすることができる。これによって、店舗に留めておくべき収納カセット４８が回収業者により回収されることはなくなる。
【符号の説明】
【００６５】
１  貨幣処理システム
１０  店舗
１１  キャッシュレジスタ
１２  硬貨釣銭機
１４  紙幣釣銭機
２０  出納室
２２  壁
３０  カセット収容装置
３０ｍ  店舗用のカセット収容ラック
３０ｎ  回収用のカセット収容ラック
３２  カセット収容部
３２ａ  底部
３２ｍ  店舗側のカセット収容部
３２ｎ  回収用のカセット収容部
３４  カセット取出規制部
３６  カセット情報取得部
３８  表示部
４０  制御部
４２  取出権限決定部
４４  インターフェース
４８  収納カセット
４９  記憶部
５０  棒金収納庫
６０  端末
６２  カードリーダー
７０  センター
７２  制御装置
７４  配送車
【図１】
0005579499.tif 000002
【図２】
0005579499.tif 000003
【図３】
0005579499.tif 000004
【図４】
0005579499.tif 000005
【図５】
0005579499.tif 000006
【図６】
0005579499.tif 000007
【図７】
0005579499.tif 000008